(57)【要約】【課題】吸込口と吹出口を別々に離して配置することができる、設置場所の制約の少ない加湿装置を得ることと、多様な設置形態を採り得る加湿装置を得る。【解決手段】空気を流す風路を構成した天井に吊り固定される本体箱体２内に、その風路を横断する形態に自然蒸発式の加湿器４と、加湿器４に送風する送風機３を着脱可能に組込み、本体箱体２における風路の上流側の下面には天井から室内に臨ませ得る開閉可能の第１の吸込口１と、一側に開閉可能の第２の吸込口１０を設け、本体箱体２の風路の下流側となる一側にはダクト接続の可能な吹出口１２を設ける。そして、第１の吸込口１と第２の吸込口１０とを開閉させ、第１の吸込口１から室内の空気を取入れたり、第２の吸込口１０からダクトを介して空調装置又は換気装置の吹出し空気を取入れ、吹出口１２からダクトを介して室内へ吹出すようにする。【選択図】          図１
2004324954.tif 000002
【特許請求の範囲】
【請求項１】
空気を流す風路を構成した天井に吊り固定される本体箱体内に、その風路を横断する形態に自然蒸発式の加湿器と、この加湿器に送風する送風機を着脱可能に組込み、前記本体箱体における風路の上流側の下面には天井から室内に臨ませ得る開閉可能の第１の吸込口と、一側に開閉可能の第２の吸込口を設け、前記本体箱体の風路の下流側となる一側にはダクト接続の可能な吹出口を設けた加湿装置。
【請求項２】
請求項１に記載の加湿装置であって、第１の吸込口に上下動可能の調整枠を設けた加湿装置。
【請求項３】
請求項１又は請求項２のいずれかに記載の加湿装置であって、第１の吸込口から、加湿器及び加湿器に付随する本体箱体外部の機器のメンテナンスを行うことができるように内側から着脱できる蓋を有する点検口を設けた加湿装置。
【請求項４】
請求項１〜請求項３までのいずれかに記載の加湿装置であって、送風機を取外し、吹出口にダクトを介して空調装置の吹出口を接続し、第１の吸込口から加工空気を室内に吹出すようにした加湿装置。
【請求項５】
請求項１〜請求項３までのいずれかに記載の加湿装置であって、第１の吸込口を閉止し、第２の吸込口から空調装置又は換気装置の吹出し空気をダクトを介して取入れ、吹出口からダクトを介して室内へ吹出すようにした加湿装置。
【請求項６】
請求項１〜請求項３までのいずれかに記載の加湿装置であっで、第１の吸込口を閉止し、第２の吸込口からダクトを介して室内の空気を取入れ、吹出口からダクトを介して室内へ吹出すようにした加湿装置。
【発明の詳細な説明】
【０００１】
【発明の属する技術分野】
本発明は、建物の天井裏空間に設置される加湿装置に関するものである。
【０００２】
【従来の技術】
建物の天井裏空間に設置される加湿装置としては、天井開口部に吊下げられる下面の開放した箱型フレームに加湿器及び送風機を組込み、吸込口と吹出口を備えた天井パネルで下面の開放部を閉塞したものがある（例えば、特許文献１参照）。
【０００３】
【特許文献１】
特開２００２−２６７２１５号公報（第１頁、図１）
【０００４】
【発明が解決しようとする課題】
上記した従来の加湿装置においては、吸込口と吹出口とが天井パネルにあり、装置の設置場所以外の所から加湿した空気を吹出したり、加湿する空気を吸込んだりすることができず、限られた場所にしか設置することができない。また、加湿器のメンテナンスは、天井パネルを外して行うことができるようになっているが、自然蒸発式の加湿器ではメンテナンスには、装置外に配設される給水系の機器を操作しなくてはならず、別途に点検口を天井に設けなければならなかった。
【０００５】
本発明は、係る従来の問題点を解決するためになされたものであって、その課題とするところは、吸込口と吹出口を別々に離して配置することができる、設置場所の制約の少ない加湿装置を得ることであり、そのメンテナンスの平易化と設置性の向上を推進することであり、多様な設置形態を採り得る加湿装置を得ることである。
【０００６】
【課題を解決するための手段】
前記課題を達成するために本発明は、空気を流す風路を構成した天井に吊り固定される本体箱体内に、その風路を横断する形態に自然蒸発式の加湿器と、加湿器に送風する送風機を着脱可能に組込み、本体箱体における風路の上流側の下面には天井から室内に臨ませ得る開閉可能の第１の吸込口と、一側に開閉可能の第２の吸込口を設け、本体箱体の風路の下流側となる一側にはダクト接続の可能な吹出口を設ける手段を採用する。
【０００７】
【発明の実施の形態】
図１は本実施の形態の加湿装置の平面図、図２は図１におけるＡ矢視図、図３は図１におけるＢ矢視図、図４と図５は加湿装置を設置状態で示す平面図と側面図、図６は加湿装置の部分拡大斜視図、図７〜図１２は設置形態を示したものである。この加湿装置は、下面の略半分が第１の吸込口１として開放された六面体の本体箱体２に送風機３と加湿器４とが組込まれて構成されている。本体箱体２の四隅部には、天井裏に垂下されるアンカーボルトに吊り支持される吊金具５が取付けられている。本体箱体２の第１の吸込口１には、長孔とネジによる調整手段６によって上下動可能に調整枠７が設けられ、天井面８に開設される開口部との高さ位置が変わっても、第１の吸込口１を調整枠７によって開口部に臨ませることができる。この調整枠７の臨む開口部には天井グリル９が着脱可能に装着されている。
【０００８】
本体箱体２内は風路として構成され、この風路を横断する形態に自然蒸発式の加湿器４と、この加湿器４に送風する送風機３が着脱可能に組込れている。本体箱体２における風路の上流側の一側には開閉可能の第２の吸込口１０が設けられ、本体箱体の風路の下流側となる一側にはダクト接続部品１１を取付けた吹出口１２が設けられている。
【０００９】
加湿器４は、透湿膜による保水層と空気を通す通気層を交互に多数並べた構成で、通気層を通過する空気を保水層の透湿膜を通じて自然蒸発により加湿する。加湿器４に水を送る給水系には、止水弁１３と排水弁１４の他にストレーナー１５及び水の圧力を調整する減圧電磁弁１６が設けられ、ストレーナー１５及び減圧電磁弁１６は、加湿器４の下に配置されたドレン受容器１７内に集約され、止水弁１３と排水弁１４は、第１の吸込口１に隣接する本体箱体２の一側に配置される。
【００１０】
第１の吸込口１に隣接する本体箱体２の一側には、第１の吸込口１側から着脱できる蓋１８を有する点検口１９が開設されている。蓋１８には図６に示すように四隅部にだるま孔２０が設けられ、このだるま孔２０を本体箱体２の点検口１９の外周部の四隅に設けられたネジ２１に掛着することにより、蓋１８で点検口１９が閉止されている。
【００１１】
この加湿装置は、基本的には図４及び図５に示すように天井裏の空間に吊り固定され、天井面８に倣って装着された天井グリル９から第１の吸込口１を通じて送風機３により室内の空気を吸込み、加湿器４を通過させて加湿し、吹出口１２からダクト２２で連絡された任意の位置に設置される室内吹出口２３から室内へ吹出すように設置される。加湿装置自体の取付け位置は、部屋の隅でも中央でもどこでも良く、加湿した空気を部屋に供給する位置もダクト配管により自由に選定することができる。
【００１２】
当初の設置工事で給水管を接続した後、管路に付着した油分を除去する必要があるが、この場合、天井グリル９を外し、第１の吸込口１から点検口１９の蓋１８を開け、点検口１９から排水弁１４を開け、止水弁１３を開けて行うことができる。また、加湿器４や加湿器４に付随するストレーナー１５や減圧電磁弁１６等の保守点検の際も、止水弁１３の開閉操作を点検口１９から行うことができ、加湿器４や加湿器４に付随する部品の保守点検は、天井グリル９を装着した開口部から行うことができる。
【００１３】
この加湿装置は、上述した基本的な設置形態の他、図７〜図１２に示すような設置形態を採ることができる。図７と図８に示す設置形態は、加湿装置の送風機３を取外し、空調機や換気装置といった送風機能を有する装置２４の吹出口をダクト２２を介して吹出口１２に接続するものである。装置２４から吹込まれる空気は、加湿器４を通過し、加湿されて天井グリル９から室内に吹出される。
【００１４】
図９と図１０に示す設置形態は、第１の吸込口１を閉止板で閉止し、第２の吸込口１０を開放し、ダクト接続部品１１を取付け、ダクト２２を介して空調機や換気装置等の送風機能を有する装置２４の吹出口と第２の吸込口１０とを接続したものである。第２の吸込口１０から送込まれる空気は、送風機３によりさらに昇圧され、加湿器４を通過して加湿され、吹出口１２からダクト２２を経て任意の位置に配置された室内吹出口２３から室内へ吹出される。
【００１５】
図１１と図１２に示す設置形態は、第１の吸込口１を閉止板で閉止し、第２の吸込口１０を開放し、ダクト接続部品１１を取付け、ダクト２２を介して任意の場所に設置された室内吸込口２５と第２の吸込口１０とを接続したものである。この形態では室内の任意の位置から吸込んだ空気を送風機３で加湿器４に送り、吹出口１２からダクト２２を経て任意の位置に配置された室内吹出口２３から室内へ吹出すことができる。このように、この加湿装置は、設置場所の制約が少なく、空調システムとして自由度の高いものである。
【００１６】
【発明の効果】
本発明によれば、吸込口と吹出口を別々に離して配置することができる、設置場所の制約の少ない加湿装置が得られる。
【図面の簡単な説明】
【図１】実施の形態の加湿装置の平面図である。
【図２】図１のＡ矢視図である。
【図３】図１のＢ矢視図である。
【図４】実施の形態の加湿装置を設置形態で示す平面図である。
【図５】実施の形態の加湿装置を設置形態で示す側面図である。
【図６】実施の形態の加湿装置の部分拡大斜視図である。
【図７】実施の形態の加湿装置の設置形態の一例を示す平面図である。
【図８】実施の形態の加湿装置の設置形態の一例を示す側面図である。
【図９】実施の形態の加湿装置の設置形態の一例を示す平面図である。
【図１０】実施の形態の加湿装置の設置形態の一例を示す側面図である。
【図１１】実施の形態の加湿装置の設置形態の一例を示す平面図である。
【図１２】実施の形態の加湿装置の設置形態の一例を示す側面図である。
【符号の説明】
１  第１の吸込口、  ２  本体箱体、  ３  送風機、  ４  加湿器、  ７  調整枠、  ９  天井グリル、  １０  第２の吸込口、  １２  吹出口、  １８  蓋、  １９  点検口、  ２３  室内吹出口、  ２４  装置、  ２５  室内吸込口。
【図１】
2004324954.tif 000003
【図２】
2004324954.tif 000004
【図３】
2004324954.tif 000005
【図４】
2004324954.tif 000006
【図５】
2004324954.tif 000007
【図６】
2004324954.tif 000008
【図７】
2004324954.tif 000009
【図８】
2004324954.tif 000010
【図９】
2004324954.tif 000011
【図１０】
2004324954.tif 000012
【図１１】
2004324954.tif 000013
【図１２】
2004324954.tif 000014